(57)【要約】【解決手段】Ｒ1Ｒ2ＮＣＯＣＨ2ＯＣＨ2ＣＯＯＨ（Ｒ1及びＲ2は、互いに同一又は異種の直鎖又は分岐鎖状のアルキル基を示し、少なくとも一方は炭素数６以上のアルキル基である）で表されるジアルキルジグリコールアミド酸を抽出剤として含有する有機相と、スカンジウムと、ジルコニウム、ハフニウム又はそれら双方とを含む水溶液である水相とを接触させて、水相から、ジルコニウム、ハフニウム又はそれら双方を、有機相に抽出することにより分離する。【効果】従来、効率的な分離が困難であった、スカンジウムと、ジルコニウム、ハフニウム又はそれら双方とを含む水溶液から、ジルコニウム、ハフニウム又はそれら双方を、選択的に溶媒抽出により分離することができ、より簡略化された工程で、効率よくスカンジウムの純度を向上させることができることから、設備投資、ランニングコストなどが抑えられる。【選択図】図１
2016056415.tif 000002
【特許請求の範囲】
【請求項１】
第１元素としてスカンジウムと、第２元素としてジルコニウム、ハフニウム又はそれら双方とを含む水溶液から、溶媒抽出により上記第２元素を分離する方法であって、
下記一般式（１）
Ｒ1Ｒ2ＮＣＯＣＨ2ＯＣＨ2ＣＯＯＨ  （１）
（式中、Ｒ1及びＲ2は、互いに同一又は異種の直鎖又は分岐鎖状のアルキル基を示し、少なくとも一方は炭素数６以上のアルキル基である。）
で表されるジアルキルジグリコールアミド酸を抽出剤として含有する有機相と、上記水溶液である水相とを接触させて、上記第２元素を上記有機相に抽出することにより分離することを特徴とする抽出分離方法。
【請求項２】
上記水溶液が、ｐＨが３以下の酸性水溶液であることを特徴とする請求項１記載の抽出分離方法。
【請求項３】
上記抽出剤が、上記一般式（１）中のＲ1及びＲ2が、いずれもＣ4Ｈ9ＣＨ（Ｃ2Ｈ5）ＣＨ2−で示されるＮ，Ｎ−ジ−２−エチルヘキシル−３−オキサペンタン−１，５−アミド酸であることを特徴とする請求項１又は２記載の抽出分離方法。
【請求項４】
上記抽出分離を向流多段ミキサーセトラーによって行うことを特徴とする請求項１乃至３のいずれか１項記載の抽出分離方法。
【発明の詳細な説明】
【技術分野】
【０００１】
本発明は、スカンジウムと、ジルコニウム、ハフニウム又はそれら双方の元素とを含む水溶液から、溶媒抽出により、ジルコニウム、ハフニウム又はそれら双方を分離する方法に関する。
【背景技術】
【０００２】
スカンジウムは、希土類元素の中でも特にイオン半径が小さいため、通常の希土類鉱物中には殆ど存在せず、アルミニウム、スズ、タングステン、ジルコニウム、鉄、ニッケル等の酸化鉱中に、広く微量に存在している。
【０００３】
スカンジウムは、イオン半径が小さいことに起因して塩基性が低いため、その溶解には強酸を必要とする。そのため、上述した酸化鉱を酸で溶解した場合、水溶液中に同時に溶解して共存する元素の種類が多く、また、その場合、酸化鉱中の主金属成分の濃度が高くなるため、水溶液に含有されるスカンジウムを分離することは容易ではない。
【０００４】
スカンジウムの代表的な分離方法としては、ＰＣ−８８Ａ（大八化学工業（株）製商品名、主成分：２−エチルヘキシルホスホン酸−２−エチルヘキシル）等の酸性アルキルリン酸エステルを抽出剤とする溶媒抽出法が知られている。しかし、ＰＣ−８８Ａはスカンジウムに対して極めて高い捕捉能をもつため、逆抽出が非常に困難である。また、カルボン酸抽出剤であるＶｅｒｓａｔｉｃ１０を用いた場合は、抽出平衡に達するｐＨが４以上であるため、スカンジウムの水酸化物が発生して十分な抽出ができないという問題がある。そのため、スカンジウムを効率よく分離することができる方法が求められている。
【先行技術文献】
【特許文献】
【０００５】
【特許文献１】特開平９−２９１３２０号公報
【特許文献２】特開平４−３６３７３号公報
【特許文献３】特開平１−１０８１１９号公報
【特許文献４】特開平１−２４６３２８号公報
【特許文献５】特開平４−７４７１１号公報
【特許文献６】特開２０１２−１２３７０号公報
【特許文献７】特開２０１２−１２３７１号公報
【特許文献８】特開２０１４−１４３０号公報
【特許文献９】特開２０１４−１２９０１号公報
【非特許文献】
【０００６】
【非特許文献１】久保田富生子、他４名，「アミド酸型新規抽出剤による希土類金属の抽出分離特性」，第３１回希土類討論会講演要旨集，４４〜４５頁，２０１４年，日本希土類学会
【発明の概要】
【発明が解決しようとする課題】
【０００７】
本発明は、上記課題を解決するためになされたものであり、スカンジウムと、ジルコニウム、ハフニウム又はそれら双方の元素とを含む水溶液において、スカンジウムの純度を効率よく向上させることができる方法を提供することを目的とする。
【課題を解決するための手段】
【０００８】
本発明者は、上記目的を達成するため鋭意検討を重ねた結果、第１元素としてスカンジウムと、第２元素としてジルコニウム、ハフニウム又はそれら双方とを含む水溶液を水相とし、下記一般式（１）
Ｒ1Ｒ2ＮＣＯＣＨ2ＯＣＨ2ＣＯＯＨ  （１）
（式中、Ｒ1及びＲ2は、互いに同一又は異種の直鎖又は分岐鎖状のアルキル基を示し、少なくとも一方は炭素数６以上のアルキル基である。）
で表されるジアルキルジグリコールアミド酸、好ましくは上記一般式（１）中のＲ1及びＲ2が、いずれもＣ4Ｈ9ＣＨ（Ｃ2Ｈ5）ＣＨ2−で示されるジオクチルジグリコールアミド酸を抽出剤として含有する有機相と接触させることにより、第１元素及び第２元素を含む酸性水溶液、特に、ｐＨが３以下の酸性水溶液から、第２元素を、第１元素に対して選択的に、有機相に抽出分離することが可能であり、これにより、より簡略化された工程で、第１元素であるスカンジウムの純度を向上させることができることを見出し、本発明をなすに至った。
【０００９】
従って、本発明は、以下の抽出分離方法を提供する。
請求項１：
第１元素としてスカンジウムと、第２元素としてジルコニウム、ハフニウム又はそれら双方とを含む水溶液から、溶媒抽出により上記第２元素を分離する方法であって、
下記一般式（１）
Ｒ1Ｒ2ＮＣＯＣＨ2ＯＣＨ2ＣＯＯＨ  （１）
（式中、Ｒ1及びＲ2は、互いに同一又は異種の直鎖又は分岐鎖状のアルキル基を示し、少なくとも一方は炭素数６以上のアルキル基である。）
で表されるジアルキルジグリコールアミド酸を抽出剤として含有する有機相と、上記水溶液である水相とを接触させて、上記第２元素を上記有機相に抽出することにより分離することを特徴とする抽出分離方法。
請求項２：
上記水溶液が、ｐＨが３以下の酸性水溶液であることを特徴とする請求項１記載の抽出分離方法。
請求項３：
上記抽出剤が、上記一般式（１）中のＲ1及びＲ2が、いずれもＣ4Ｈ9ＣＨ（Ｃ2Ｈ5）ＣＨ2−で示されるＮ，Ｎ−ジ−２−エチルヘキシル−３−オキサペンタン−１，５−アミド酸であることを特徴とする請求項１又は２記載の抽出分離方法。
請求項４：
上記抽出分離を向流多段ミキサーセトラーによって行うことを特徴とする請求項１乃至３のいずれか１項記載の抽出分離方法。
【発明の効果】
【００１０】
本発明の抽出分離方法によれば、従来、効率的な分離が困難であった、スカンジウムと、ジルコニウム、ハフニウム又はそれら双方とを含む水溶液から、ジルコニウム、ハフニウム又はそれら双方を、選択的に溶媒抽出により分離することができ、より簡略化された工程で、効率よくスカンジウムの純度を向上させることができることから、設備投資、ランニングコストなどが抑えられる。
【図面の簡単な説明】
【００１１】
【図１】向流多段ミキサーセトラーの概念図である。
【発明を実施するための形態】
【００１２】
以下に、本発明の詳細を説明する。
本発明の抽出分離方法では、抽出剤を含有する有機相と、第１元素としてスカンジウムと、第２元素としてジルコニウム、ハフニウム又はそれら双方とを含む水溶液である水相とを接触させて、被抽出元素である第２元素を有機相に抽出分離する。これにより、抽出後の水相中の第１元素であるスカンジウムの純度を向上させることができる。
【００１３】
本発明においては、下記一般式（１）
Ｒ1Ｒ2ＮＣＯＣＨ2ＯＣＨ2ＣＯＯＨ  （１）
（式中、Ｒ1及びＲ2は、互いに同一又は異種の直鎖又は分岐鎖状のアルキル基を示し、少なくとも一方は炭素数６以上、好ましくは６〜１８、より好ましくは７〜１２のアルキル基である）
で表されるジアルキルジグリコールアミド酸を抽出剤として用いる。上記一般式（１）中のＲ1及びＲ2で示されるアルキル基の双方の炭素数が６未満の場合、親油性が十分でないため、有機相の安定性に欠くことになり、水相との分相性が不良となるばかりか、抽出剤自身の水相への溶解が無視できなくなり、抽出剤の役割を果たすことができない。また、上記炭素数が過剰に大きい場合には、抽出剤の製造コストが高くなるにもかかわらず、基本性能である抽出能、分離能そのものの向上には寄与しない。また、Ｒ1及びＲ2については親油性が確保されるのであれば、一方が炭素数６以上であれば他方は６未満であってもよい。
【００１４】
ジアルキルジグリコールアミド酸として、より好適なものとしては、上記一般式（１）中のＲ1及びＲ2が、いずれも炭素数８の直鎖又は分岐鎖状のアルキル基であるものが好ましく、例えば、上記一般式（１）中のＲ1及びＲ2が、いずれもｎ−オクチル基（ｎ−Ｃ8Ｈ17−）であるＮ，Ｎ−ジ−ｎ−オクチル−３−オキサペンタン−１，５−アミド酸［以下、ＤＯＤＧＡＡ：ｄｉｏｃｔｙｌｄｉｇｌｙｃｏｌａｍｉｃ  ａｃｉｄ（ジオクチルジグリコールアミド酸）と称する。］、上記一般式（１）中のＲ1及びＲ2が、いずれもエチルヘキシル基（Ｃ4Ｈ9ＣＨ（Ｃ2Ｈ5）ＣＨ2−）であるＮ，Ｎ−ジ−２−エチルヘキシル−３−オキサペンタン−１，５−アミド酸［以下、Ｄ２ＥＨＤＧＡＡ：ｄｉ−２−ｅｔｈｙｌｈｅｘｙｌｄｉｇｌｙｃｏｌａｍｉｃ  ａｃｉｄ（ジ−２−エチルヘキシルジグリコールアミド酸）と称する。］などが挙げられ、Ｄ２ＥＨＤＧＡＡが、特に好ましい。
【００１５】
有機相は、抽出剤としての上記ジアルキルジグリコールアミド酸と、抽出剤を溶解可能な希釈剤である有機溶媒とからなる。有機溶媒は、水への溶解度が低く、抽出剤を適度に溶解する溶解性を有し、比重が低く、更に、抽出能力が向上するのに適したものが選択される。例えば、トルエン、キシレン、ヘキサン、イソドデカン、ケロシン、高級アルコール（例えば、炭素数５〜１０）等が挙げられる。有機相中の抽出剤の濃度は、０．１〜１ｍｏｌ／Ｌ、特に０．３〜０．７ｍｏｌ／Ｌが好適である。
【００１６】
本発明においては、スカンジウム（第１金属）と、ジルコニウム、ハフニウム又はそれら双方（第２金属）とを含む水溶液から、被抽出元素である第２金属を、抽出剤を含む有機相に溶媒抽出する（抽出工程）。抽出剤によって処理される第１金属及び第２金属、即ち、スカンジウム、ジルコニウム及びハフニウムは、水溶液の状態で水相中に含まれており、これらの金属の水溶性塩が溶解した形態で水溶液中に存在していればよい。この水溶性塩としては、例えば、塩化物（塩化スカンジウム、塩化ジルコニウム、塩化ハフニウム）、硫酸塩（硫酸スカンジウム、硫酸ジルコニウム、硫酸ハフニウム）、硝酸塩（硝酸スカンジウム、硝酸ジルコニウム、硝酸ハフニウム）などが挙げられる。本発明においては、第１金属を０．１〜０．７ｍｏｌ／Ｌ、特に０．２〜０．５ｍｏｌ／Ｌ、第２金属を０．００１〜０．０５ｍｏｌ／Ｌ、特に０．００５〜０．０２ｍｏｌ／Ｌ含有する水相の処理が可能である。水相は、金属成分として、第１金属及び第２金属のみを含むものであれば、抽出工程により、水相から第２金属を分離して、水相中の金属成分を第１金属のみとすることができ、好適であるが、水相には、沈殿物を形成しない程度であれば、第１金属及び第２金属以外の他の金属、例えば、ナトリウム、カリウム、マグネシウムなどであれば、これらの金属が他の金属として水相に含まれていても、抽出工程において、第２金属を有機相に抽出し、第１金属を水相に残留させることが可能である。この場合、水相中の上記他の金属の濃度は、０．００１ｍｏｌ／Ｌ以下であることが好ましい。
【００１７】
抽出工程の水相のｐＨは３以下が好ましい。ｐＨが３を超えると、第１金属、第２金属又はそれら双方が水酸化物を形成し沈殿物となってしまう場合があり、有機相と水相を接触させる際、抽出分離が不可となり、その結果、分相不良が起こって、抽出工程に問題が発生するおそれがある。また、ｐＨが強酸の場合、第２金属を抽出した後、抽出剤の再生に必要な酸の使用量が多くなってしまう。そのため、抽出工程の水相のｐＨは好ましくは１〜３である。このｐＨは塩酸、硫酸、硝酸等の酸、水酸化ナトリウム、水酸化カリウム等のアルカリにより調整することができる。
【００１８】
また、有機相中の抽出剤濃度ＣO、水相中の第２金属濃度ＣAの比率Ｃ0／ＣA（モル比）を３≦Ｃ0／ＣA≦５００とすることが好ましい。比率Ｃ0／ＣA＜３であると、第２金属濃度に対し抽出剤であるジアルキルジグリコールアミド酸濃度が十分でないため、有機相の凝固が起こり、溶媒抽出による分離ができない場合がある。また、比率Ｃ0／ＣA＞５００としても、基本性能である抽出能、分離能そのものの向上には寄与せず、むしろ、水相濃度に対し有機相濃度が高すぎるため、コスト高となるおそれがある。
【００１９】
本発明においては、被抽出元素である第２金属を抽出した有機相を、逆抽出液（酸水溶液）に接触させて、第２金属を逆抽出することが可能である（逆抽出工程）。逆抽出を実施すれば、第２金属を回収することが可能であり、また、抽出剤を再生することが可能である。逆抽出液は、逆抽出における水相であり、塩酸、硫酸、硝酸等の酸を含んでいる。逆抽出液は、酸のみを含むものが好ましいが、逆抽出が可能な酸性水溶液であれば、金属成分を含んでいてもよい。逆抽出液中の酸濃度は、３〜７Ｎ、特に４〜６Ｎが好ましく、通常、ｐＨが１未満の強酸が用いられる。この場合、逆抽出液には、逆抽出する有機相に含まれる第２金属に対して、１当量以上の酸が含まれている必要があり、３〜５当量の酸が含まれていることが好ましい。
【００２０】
本発明における抽出工程及び逆抽出工程の抽出層（有機相、水相）の温度は、通常、有機相を構成する溶媒の引火点未満に制御する。抽出層の温度は、より高いほうが有機相への抽出剤の溶解度が高くなり、有機相−水相の分離が良好となるが、引火による火災を防止するため、用いる溶媒の引火点以上でないことが有効であり、引火点より５〜１０℃低い温度以下で実施することが好ましい。
【００２１】
本発明において、抽出工程及び逆抽出工程における有機相と水相との接触方法は、溶媒抽出法における従来公知の手法が適用できるが、抽出剤及び有機溶媒からなる有機相と、第１元素及び第２元素を含む水溶液である水相、又は逆抽出液である水相とを効率よく接触させ、効果的な抽出分離を行うためには、向流多段ミキサーセトラーを用いることが、特に好適である。
【００２２】
一般的な向流多段ミキサーセトラーの概念図を図１に示す。ここで、Ａは抽出部、Ｂはスクラブ部、Ｃは逆抽出部であり、それぞれの段数は、抽出分離後に所望の第１金属純度が得られるように、適宜設定される。１〜８はミキサーセトラーへの流入、又は流出する流れを示し、配管である。１より水相（第１金属及び第２金属を含む水溶液）、２より抽出剤を含有する有機相、３より水酸化ナトリウム水溶液等のアルカリ水溶液、４，６より硫酸水溶液等の酸水溶液を導入し、５より有機相に抽出されずに残留した第１金属を含む水相を回収し、７より有機相に抽出された第２金属を逆抽出した水溶液（酸水溶液）を回収する。抽出部Ａにおいては水相のｐＨを調整し、第１金属を水相に、第２金属を有機相に、各々分離する。この抽出部Ａには、有機相及び水相に対して、配管３よりアルカリ水溶液が添加される。スクラブ部Ｂにおいては、有機相中に少量溶解している水相に残留すべき第１金属を選択的に抽出して、有機相を洗浄する。このスクラブ部Ｂには、有機相に対して、配管４より酸水溶液が添加される。逆抽出部Ｃにおいては、有機相に抽出された第２金属を逆抽出液（酸水溶液）に逆抽出する。この逆抽出部Ｃには、有機相に対して、酸水溶液（逆抽出液）６が添加される。また、８より第２金属を逆抽出した後の抽出剤を循環させ、再利用することができる。
【００２３】
この場合、抽出部Ａにおいて、水相１と有機相２とを接触させて抽出を行い、水相１中の第２金属を有機相２に抽出し、有機相２に抽出されずに残った第１金属を含む水相５を抽出部Ａより回収する。なお、アルカリ水溶液３は平衡酸濃度調整の目的で導入するものである。第２金属を抽出した有機相２はスクラブ部Ｂに導入され、ここで有機相２中に少量溶解している水相に残るべき第１金属を選択的に抽出するようにｐＨ調整された酸水溶液４を用いて有機相２を洗浄し、第１金属を選択的に抽出した酸水溶液４は、抽出部Ａに導入されると共に、洗浄された有機相２は、逆抽出部Ｃに導入され、ここで有機相２中の第２金属を所用のｐＨに調整された酸水溶液（逆抽出液）６により逆抽出し、得られた第２金属を含む水溶液７を回収する。第２金属が逆抽出された後の有機相２（８）は抽出部Ａに循環される。
【００２４】
抽出部Ａに導入されるアルカリ水溶液の濃度は、特に限定されるものではないが、通常、１〜５Ｎである。また、スクラブ部Ｂに導入される酸水溶液、及び逆抽出部Ｃに導入される酸水溶液の濃度は、特に限定されるものではないが、いずれも、通常、３〜７Ｎである。また、抽出において添加するアルカリ溶液のアルカリ量、及び逆抽出に用いる酸水溶液の酸量は、各々、水相に含まれる第２金属に対して１．２〜３．５当量、特に１．３〜２．９当量以下とすることが好ましい。
【実施例】
【００２５】
以下、実施例及び比較例を示し、本発明を具体的に説明するが、本発明は下記の実施例に制限されるものではない。
【００２６】
［実施例１］
抽出剤としてＤ２ＥＨＤＧＡＡを用い、Ｄ２ＥＨＤＧＡＡをケロシンで溶解して０．５ｍｏｌ／Ｌの溶液を調製し、有機相とした。また、塩化スカンジウム、塩化ジルコニウム、塩化ハフニウムを用いて、スカンジウムを０．２ｍｏｌ／Ｌ、ジルコニウムを０．０１ｍｏｌ／Ｌ、ハフニウムを０．０１ｍｏｌ／Ｌとし、硫酸にてｐＨを１に調整した混合水溶液を調製し、水相とした。上記有機相１００ｍｌと水相１００ｍｌを分液漏斗に入れ、２０℃で約２０分間振盪し、ジルコニウム及びハフニウムを抽出し平衡に達した後、有機相と水相を分離した。次に、有機相１００ｍｌと５Ｎの硫酸水溶液（逆抽出液）１００ｍｌを分液漏斗に入れ、２０℃で約２０分間振盪し、有機相に抽出されたジルコニウム及びハフニウムを硫酸水溶液中に逆抽出した。
【００２７】
上記水相と逆抽出した後の硫酸水溶液中のスカンジウム、ジルコニウム及びハフニウムの濃度をＩＣＰ発光分光分析装置（ＩＣＰ−７５００：島津製作所（株）製商品名、以下同じ）で測定した。
【００２８】
［比較例１］
抽出剤を、ＰＣ−８８Ａ（大八化学工業（株）製商品名、主成分：２−エチルヘキシルホスホン酸−２−エチルヘキシル）とした以外は、実施例１と同様にして、抽出及び逆抽出を実施し、スカンジウム、ジルコニウム及びハフニウムの濃度を測定した。
【００２９】
Ｄ２ＥＨＤＧＡＡを用いた実施例１では、測定されたジルコニウム及びハフニウムの濃度から算出した分離係数が８１であり、良好な分離特性を示した。一方、ＰＣ−８８Ａを用いた比較例１では、ジルコニウム及びハフニウムと共に、スカンジウムが有機相に抽出されてしまい。スカンジウムと、ジルコニウム及びハフニウムとを分離することができなかった。
【００３０】
［実施例２］
抽出剤としてＤ２ＥＨＤＧＡＡを用い、図１に示される各部及び配管を備える向流多段ミキサーセトラーを用いて、スカンジウムと、ジルコニウム及びハフニウムとを含む水溶液から、ジルコニウム及びハフニウムを抽出して分離した。
【００３１】
抽出剤としてＤ２ＥＨＤＧＡＡを用い、Ｄ２ＥＨＤＧＡＡをケロシンで溶解して０．５ｍｏｌ／Ｌの溶液を調製し、有機相とした。また、塩化スカンジウム、塩化ジルコニウム、塩化ハフニウムを用いて、スカンジウムを０．２ｍｏｌ／Ｌ、ジルコニウムを０．０１ｍｏｌ／Ｌ、ハフニウムを０．０１ｍｏｌ／Ｌとし、硫酸にてｐＨを１に調整した混合水溶液を調製し、水相とした。
【００３２】
図１中の抽出部Ａを５段、スクラブ部Ｂを３段、逆抽出部Ｃを４段とした向流多段ミキサーセトラーで、上記有機相と水相とについて、２０℃で抽出分離を実施した。図１中の各配管から、配管１より水相を３０Ｌ／ｈｒで、配管２より有機相を６．８Ｌ／ｈｒで、配管３より４Ｎの水酸化ナトリウム水溶液を０．５Ｌ／ｈｒで、配管４より５Ｎの硫酸水溶液を０．０４Ｌ／ｈｒで、配管６より５Ｎの硫酸水溶液を０．１Ｌ／ｈｒで導入し、配管５より水相を３０．６Ｌ／ｈｒで、配管７より逆抽出した硫酸水溶液を０．１Ｌ／ｈｒで回収した。
【００３３】
定常状態に達した後、抽出部Ａから有機相を回収し、この有機相を３Ｎ硫酸水溶液で逆抽出し、逆抽出液中のスカンジウム濃度をＩＣＰ発光分光分析装置で測定した。また、配管５から回収した水相中のスカンジウム、ジルコニウム及びハフニウムの濃度をＩＣＰ発光分光分析装置で測定した。
【００３４】
逆抽出液中のスカンジウム濃度は０．０００２ｍｏｌ／Ｌ、水相中のスカンジウム濃度は１．５ｍｏｌ／Ｌ、ジルコニウム濃度は０．０００１ｍｏｌ／Ｌ、ハフニウム濃度は０．０００１ｍｏｌ／Ｌであり、水相中のスカンジウム、ジルコニウム及びハフニウムの総量に対するスカンジウムの割合は９９．９ｍｏｌ％、水相のスカンジウム残留率は９９．９ｍｏｌ％であった。
【００３５】
［比較例２］
抽出剤を、ＰＣ−８８Ａとした以外は、実施例２と同様にして、抽出及び逆抽出を実施し、実施例２と同様に、スカンジウム、ジルコニウム及びハフニウムの濃度を測定した。
【００３６】
逆抽出液中のスカンジウム濃度は０．０１ｍｏｌ／Ｌ、水相中のスカンジウム濃度は０．０２ｍｏｌ／Ｌ、ジルコニウム濃度は０．０３ｍｏｌ／Ｌ、ハフニウム濃度は０．０３ｍｏｌ／Ｌであり、水相中のスカンジウム、ジルコニウム及びハフニウムの総量に対するスカンジウムの割合は２５ｍｏｌ％、水相のスカンジウム残留率は２５ｍｏｌ％であった。この場合、ジルコニウム及びハフニウムと共に、スカンジウムの一部が有機相に抽出されており、しかも、有機相からスカンジウムが０．０１ｍｏｌ％しか逆抽出されていないことから、有機相に抽出されたスカンジウムの一部しか逆抽出できなかった。この結果から、ＰＣ−８８Ａでは、スカンジウムと、ジルコニウム及びハフニウムとの分離が困難であることがわかった。
【符号の説明】
【００３７】
１  水相（第１金属及び第２金属を含む水溶液）又はこれを導入する配管
２  抽出剤を含有する有機相又はこれを導入する配管
３  アルカリ溶液又はこれを導入する配管
４  酸水溶液又はこれを導入する配管
５  有機相に抽出されずに残留した第１金属を含む水相又はこれを回収する配管
６  酸水溶液（逆抽出液）又はこれを導入する配管
７  有機相に抽出された第２金属を逆抽出した水溶液又はこれを回収する配管
８  有機相又はこれを循環させる配管
Ａ  抽出部
Ｂ  スクラブ部
Ｃ  逆抽出部
【図１】
2016056415.tif 000003